(57)【要約】【課題】コンビニエンスストアのような小規模店舗用の空調設備の建屋との一体化を進め、工事の省力化や設備の省スペース化を図ることを課題とするものである。【解決手段】店舗建屋１の壁２を送風ダクト２ａとして構成し、この壁２に室内機９と室外機１３とを前後一体化したパッケージ空調機６の室内機９を着脱可能に挿入し、店舗建屋内の空気を壁の内部２ａ及び室内機９を通して循環させるようにする。店舗建屋１の壁２をダクト化することにより、空調機６として一体型のパッケージ空調機を用いて冷気を店舗建屋内に還流させることができ、セパレート空調機に必要な室外機と室内機との間の冷媒配管や配線を省くことができる。また、ダクト化した壁はパネル部材として工場生産することが可能であり、別途のダクト工事や店舗内のダクトスペースは不要である。【選択図】      図１
2005114215.tif 000002
【特許請求の範囲】
【請求項１】
店舗建屋の壁を送風ダクトとして構成し、この壁に室内機と室外機とを前後一体化したパッケージ空調機の前記室内機を挿脱可能に挿入し、前記店舗建屋内の空気を前記壁の内部及び前記室内機を通して循環させるようにしたことを特徴とする店舗用空調設備。
【請求項２】
店舗建屋の壁を送風ダクトとして構成し、この壁に室内機と室外機とを隣接一体化したパッケージ空調機を挿脱可能に挿入し、前記店舗建屋内の空気を前記壁の内部及び前記室内機を通して循環させ、外気を前記壁の内部を通して前記室外機に通流させるようにしたことを特徴とする店舗用空調設備。
【請求項３】
冷房運転時に、前記室外機を通過した排気の一部を前記店舗建屋内に設置される冷蔵ショーケースから漏れ出す冷気の溜り場付近に導くようにしたことを特徴とする請求項１又は請求項２記載の店舗用空調設備。
【請求項４】
暖房運転時に、前記室内機を通過した循環暖気の一部を前記店舗建屋内に設置される冷蔵ショーケースから漏れ出す冷気の溜り場付近に導くようにしたことを特徴とする請求項１又は請求項２記載の店舗用空調設備。
【請求項５】
前記店舗建屋の壁に接する天井及び床を送風ダクトとして構成し、前記天井に空気吹出口を形成するとともに前記床に空気吸込口を形成し、この空気吸込口から吸い込んだ前記店舗建屋内の空気を前記床及び壁の内部を通して前記室内機に通流させ、この室内機を通過した前記空気を前記壁及び天井を通して前記空気吹出口から前記店舗建屋内に吹き出すようにしたことを特徴とする請求項1又は請求項２記載の店舗用空調設備。
【請求項６】
前記空気吸込口を前記店舗建屋内に設置される冷蔵ショーケースから漏れ出す冷気の溜り場付近に形成したことを特徴とする請求項５記載の店舗用空調設備。
【請求項７】
前記パッケージ空調機に隣接させて、前記店舗建屋内に設置される冷蔵ショーケースの冷凍機を前記壁に挿脱可能に挿入し、外気を前記壁の内部を通して前記冷凍機に通流させるとともに、前記壁に接する床を送風ダクトとして構成し、前記冷凍機を通過した排気を前記床の内部を通して外気に排出するようにしたことを特徴とする請求項１又は請求項２記載の店舗用空調設備。
【請求項８】
前記冷凍機を通過した排気の一部を前記店舗建屋内に設置される冷蔵ショーケースから漏れ出す冷気の溜り場付近に導くようにしたことを特徴とする請求項７記載の店舗用空調設備。
【発明の詳細な説明】
【技術分野】
【０００１】
この発明は、コンビニエンスストアなどの店舗に適した空調設備に関する。
【背景技術】
【０００２】
コンビニエンスストアなどの小規模店舗における建屋の低コスト化、工期の短縮、資材再利用の容易化等を目的としてパネル工法が実用化されている。これは店舗建屋を建築するための壁材や屋根材をパネル化して工場生産し、現地ではこれらをボルト等で締結して組み上げるようにしたものである。このような工法によれば、部材が標準化されるとともに現場施工が極力省かれて低コスト化、工期の短縮が図られ、またボルト等の取り外しで分解が可能であるため、移築やリサイクルによる資源の再利用が容易になる。このパネル工法については、例えば特許文献１に記載されている。
【特許文献１】特開２００２−２２０８７７号公報
【発明の開示】
【発明が解決しようとする課題】
【０００３】
上記したように、建屋自体については低コスト化や省力化の努力が払われているが、ショーケースや空調機などの設備の建屋への組み込み、配管や配線などの工事は依然として変っていない。すなわち、建屋が完成した後、各種の設備を搬入、据付し、ダクト工事、配線工事、配管工事等を建屋に対して個別に施工している。これらの在来工事は建屋部材の工場生産化に比べて合理化が立ち遅れており、工事内容が煩雑で工期が長く、また建屋内でのスペースの無駄が多い。
【０００４】
例えば、空調設備については、従来は図８に示すものが一般的である。図８において、空調機には通常、室外機４１と室内機４２とが分離構成されたセパレート型のパッケージ空調機が用いられており、室外機４１は屋外に設置され、天井埋込み式の室内機４２は建屋４３の天井に取り付けられている。室外機４１は圧縮機４４、室外熱交換器４５、外気を室外熱交換器４５に通風する送風機４６を備え、室内機４２は室内熱交換器４７、室内熱交換器４７を通して店舗建屋内の空気を循環させる送風機４７を備えている。圧縮機４４、室外熱交換器４５、室内熱交換器４７の間は冷媒配管で結ばれている。
【０００５】
このような空調設備において、例えば夏季の冷房運転の場合には、圧縮機４４から吐出された高温高圧のガス冷媒が室外熱交換器４５で外気と熱交換して凝縮し、生じた液冷媒は室内熱交換器４７で蒸発して室内空気を冷却する。店舗建屋内の空気は送風機４８により、矢印で示すように中央部から吸い込まれ、室内熱交換器４７を通して外周部から室内に吹き出される。
【０００６】
図８に示したような従来設備においては、建屋４３と空調機とは別々に施工され、互いに関連性がないことから、上記した工事内容の煩雑さや設備スペースの無駄を生じている。
【０００７】
この発明は、店舗用のとりわけ空調設備について建屋との一体化を進め、工事の省力化や設備の省スペース化を図ることを課題とするものである。
【課題を解決するための手段】
【０００８】
上記課題を解決するために、この発明は、店舗建屋の壁を送風ダクトとして構成し、この壁に室内機と室外機とを前後一体化したパッケージ空調機の前記室内機を挿脱可能に挿入し、前記店舗建屋内の空気を前記壁の内部及び前記室内機を通して循環させるようにする（請求項１）。
【０００９】
請求項１の発明は、店舗建屋の壁をダクト化するもので、これにより空調機として一体型のパッケージ空調機を用いて冷気を店舗建屋内に還流させることができ、セパレート空調機に必要な室外機と室内機との間の冷媒配管や配線を省くことができる。また、ダクト化した壁はパネル部材として工場生産することが可能であり、別途のダクト工事や店舗内のダクトスペースは不要である。
【００１０】
また、この発明は、店舗建屋の壁を送風ダクトとして構成し、この壁に室内機と室外機とを隣接一体化したパッケージ空調機を挿脱可能に挿入し、前記店舗建屋内の空気を前記壁の内部及び前記室内機を通して循環させ、外気を前記壁の内部を通して前記室外機に通流させるようにするものである（請求項２）。この請求項２の発明は、請求項１の発明における室外機も壁内部に収納するもので、一層の省スペース化が可能になる。
【００１１】
請求項１又は請求項２の発明において、冷房運転時に前記室外機を通過した排気の一部を前記店舗建屋内に設置される冷蔵ショーケースから漏れ出す冷気の溜り場付近に導くようにするとよい（請求項３）。これにより、室外機からの排気の熱を利用して冷蔵ショーケースからの漏れ冷気による足元の不快感を軽減することができる。
【００１２】
請求項１又は請求項２の発明において、暖房運転時に前記室内機を通過した循環暖気の一部を前記店舗建屋内に設置される冷蔵ショーケースから漏れ出す冷気の溜り場付近に導くようにするとよい（請求項４）。この場合も暖気が届きにくい床面付近の冷気による足元の不快感を軽減することができる。
【００１３】
請求項1又は請求項２の発明において、前記店舗建屋の壁に接する天井及び床を送風ダクトとして構成し、前記天井に空気吹出口を形成するとともに前記床に空気吸込口を形成し、この空気吸込口から吸い込んだ前記店舗建屋内の空気を前記床及び壁の内部を通して前記室内機に通流させ、この室内機を通過した前記空気を前記壁及び天井を通して前記空気吹出口から前記店舗建屋内に吹き出すようにすることができる（請求項５）。この請求項５の発明は店舗建屋の壁のみならず、天井及び床もダクト化するもので、壁のみの場合に比べて一層の省スペース化が可能になる。ダクト化した天井や床は、パネル部材として工場生産が可能である。
【００１４】
請求項５の発明において、前記空気吸込口を前記店舗建屋内に設置される冷蔵ショーケースから漏れ出す冷気の溜り場付近に形成すれば、冷蔵ショーケースからの漏れ冷気が回収され、足元の冷えが解消されるとともに冷房運転時には冷房負荷が軽減される（請求項６）。
【００１５】
請求項１又は請求項２の発明において、前記パッケージ空調機に隣接させて、前記店舗建屋内に設置される冷蔵ショーケースの冷凍機を前記壁に挿脱可能に挿入し、外気を前記壁の内部を通して前記冷凍機に通流させるとともに、前記店舗建屋の壁に接する床を送風ダクトとして構成し、前記冷凍機を通過した排気を前記床の内部を通して外気に排出するようにするとよい（請求項７）。これにより、冷凍機からの排熱を利用して床暖房を実施し、空調機の暖房負荷を軽減することができる。
【００１６】
請求項７の発明において、前記冷凍機を通過した排気の一部を前記店舗建屋内に設置される冷蔵ショーケースから漏れ出す冷気の溜り場付近に導くようにするとよい（請求項８）。これにより、冷蔵ショーケースの排熱を利用して、冷蔵ショーケースからの漏れ冷気による足元の不快感を軽減することができる。
【発明の効果】
【００１７】
この発明によれば、店舗建屋の壁や天井、床のダクト化により空調機の室外機と室内機との配管を省いて設備工事の簡素化が図れるとともに、ダクト化した壁や天井などはパネル部材として工場生産し、現地で簡単に組み立てることができる。
【発明を実施するための最良の形態】
【００１８】
以下、図１〜図７に基づいて、この発明の実施の形態を説明する。
【実施例１】
【００１９】
図１及び図２はこの発明の実施例１を示し、図１（Ａ）は冷房運転時における店舗建屋の空調機部分の縦断面図、図１（Ｂ）は図１（Ａ）の要部右正面図、図２は暖房運転時を示す図である。図１において、建屋１は予め定尺に工場生産された長方形のユニットパネル２〜４、つまり壁パネル２、天井パネル３、床パネル４から、ボルト締めにより組み立てられている。各パネル２，３，４はダクト化されており、内部はそれぞれ送風ダクト２ａ，３ａ，４ａとして中空に構成されている。ここで、壁パネル２には予め方形の窓穴５が形成され、この窓穴５に空調機６が挿脱可能に挿入されている。空調機６は室内熱交換器７、送風機８を備えた室内機９と、圧縮機１０、室外熱交換器１１、送風機１２を備えた室外機１３とが前後一体化されたパッケージ空調機で、この空調機６は室内機９が壁パネル２の送風ダクト２ａ内に収められている。
【００２０】
壁パネル２に接する天井パネル３には空気吹出口１４が形成され、また床パネル４には空気吸込口１５が形成されている。壁パネル２の前方には冷蔵ショーケース（多段式のオープンショーケース）１６がダクト空間１７を隔てて設置されているが、空気吸込口１５は冷蔵ショーケース１６の前方に位置している。図１の冷房運転において、室外機１３の圧縮機１０から吐出された高温高圧のガス冷媒は凝縮器として働く室外熱交換器１１に送られ、送風機１２の運転により破線矢印で示すように室外熱交換器１１に通流する外気との熱交換により凝縮する。生じた液冷媒は蒸発器として働く室内熱交換器７に送られ、送風機８の運転により循環する室内空気との熱交換により蒸発して室内空気を例えば２５℃程度に冷却する。この室内空気は実線矢印で示すように空気吸込口１５から吸い込まれ、床パネル４内の送風ダクト４ａ、室内熱交換器７、壁パネル２内の送風ダクト２ａ、天井パネル３内の送風ダクト３ａを通して空気吹出口１４から吹き出される。
【００２１】
上記実施例１において、店舗建屋１の壁２、天井３及び床４がダクト化され、空調機６として一体型のパッケージ空調機が用いられているため、セパレート空調機に必要な室外機と室内機との間の冷媒配管や配線が不要である。また、ダクト化した壁パネル２、天井パネル３、床パネル４は工場生産が可能で、現地でのダクト工事が不要である。
【００２２】
冷蔵ショーケース１６の冷却器（蒸発器）１８は図示しない屋外の冷凍機から液冷媒を供給され、冷蔵ショーケース１６は冷却器１８を通して循環する冷気により、庫内が例えば５℃程度に冷却される。その場合、庫内冷気は点線矢印で示すように冷蔵ショーケース１６の前面から漏れ出し、床面近傍に冷気溜り（コールドアイル）１９を形成する。このコールドアイル１９は足元を冷やし、客に不快感を与える。そこで、図示実施の形態においては、空気吸込口１５がコールドアイル１９の溜り場付近に形成され、循環冷気と一緒に吸引されるようになっている。これにより、コールドアイル１９が解消されるとともに、低温の漏れ冷気が冷房に利用され空調機６の冷房負荷が軽減される。
【００２３】
また、図１において、室外機１３を通流した排気の一部は、コールドアイル１９の溜り場付近に導かれている。すなわち、空調機６の上部には室外機１３から室内機９を跨いで店舗建屋１の室内に開口するダクト２０が設けられ、その開口に例えば電磁操作により開閉するダンパ２１が設けられている。そこで、冷房運転時にダンパ２１を図１（Ａ）に示すように開くことにより、室外機１３を下から上に通過した排気（暖気）の一部はダクト２０を通して室内に導かれる。この暖気は冷蔵ショーケース１６の背部のダクト空間１７を通してコールドアイル１９の溜り場付近に導かれる。これにより、コールドアイル１９が例えば１５℃程度まで暖められ、足元の不快感が緩和される。また、外気が店内に導入されることにより店内の陽圧化が図られ、出入口の開口や建屋隙間からの店内への塵埃の侵入が抑制される。
【００２４】
次に、図２の暖房運転において、圧縮機１０から吐出された高温高圧のガス冷媒は四方弁の切り換えにより凝縮器として働く室内熱交換器７に送られ、送風機８の運転により破線矢印で示すように循環する室内空気との熱交換により凝縮し、室内空気は例えば２５℃に加温される。室内熱交換器７で生じた液冷媒は蒸発器として働く室外熱交換器１１に送られ、送風機１２の運転により室外熱交換器１１を通流する外気との熱交換により蒸発する。なお、室内機９を下から上に通過した直後の循環暖気は、ダクト２０の両側を通過して送風ダクト２ａに流れる。その場合、ダンパ２１の左右に隣接して設けられたダンパ２２が開かれることにより、図２に示すように循環暖気の一部がコールドアイル１９の溜り場付近に導かれる。これにより、冷房運転の場合と同様に、コールドアイル１９による足元の不快感が緩和される。
【実施例２】
【００２５】
図３〜図６はこの発明の実施例２を示し、図３（Ａ）は冷房運転時における店舗建屋の空調機室内機部分の縦断面図、図３（Ｂ）は図３（Ａ）の要部右正面図、図４は図３（Ｂ）のIV−IV線に沿う断面図、図５（Ａ）は暖房運転時における店舗建屋の空調機室内機部分の縦断面図、図５（Ｂ）は図５（Ａ）の要部右正面図、図６は図５（Ｂ）のVI−VI線に沿う断面図である。この実施例２の実施例１との相違は、空調機の室外機も建屋の壁に挿脱可能に挿入した点である。すなわち、図３において、空調機６として室内機９と室外機１３とが隣接一体化された薄型のパッケージ空調機が用いられ、この空調機６は壁パネル２に予め形成された方形の窓穴５に挿脱可能に挿入されている。
【００２６】
図３の冷房運転において、店舗建屋内の空気は壁パネル２の送風ダクト２ａ及び室内機９を通して実線矢印で示すように循環し、蒸発器として働く室内熱交換器７との熱交換により冷却される。一方、図４に破線矢印で示すように、外気は送風ダクト２ａを通して室外機１３を通流し、凝縮器として働く室外熱交換器１１との熱交換により圧縮機１０からのガス冷媒を凝縮させた後、外気に排出される。同時に、この排気（暖気）の一部はダンパ２３が開くことにより、コールドアイル１９の溜り場付近に導かれる。
【００２７】
次に、図５の暖房運転において、店舗建屋内の空気は、四方弁の切り換えにより凝縮器として働く室内熱交換器７との熱交換で加温され、破線矢印で示すように循環する。同時に、この循環暖気の一部は、ダンパ２３が閉じ、これと隣接するダンパ２４が開くことによりコールドアイル１９の溜り場付近に導かれる。一方、図６に実線矢印で示すように、外気は送風ダクト２ａを通して室外機１３を通流し、蒸発器として働く室外熱交換器１１との熱交換した後、外気に排出される。実施例２によれば、室外機１３も壁パネル２内に収納されるので、実施例１に比べ一層の省スペース化が図られる。
【実施例３】
【００２８】
図７はこの発明の実施例３を示し、図７（Ａ）は店舗建屋のショーケース冷凍機部分の縦断面図、図７（Ｂ）は図７（Ａ）の要部右正面図である。この実施例３は実施例１又は実施例２において、更に冷蔵ショーケースの冷凍機（室外機）を建屋の壁に挿入したものである。すなわち、図７において、空調機６が挿入される窓穴５に隣接して壁パネル２に予め方形の窓穴２５が形成され、この窓穴２に冷蔵ショーケース１６の冷凍機２６が挿脱可能に挿入されている。冷凍機２６は圧縮機２７、凝縮器２８、送風機２９を備え、壁パネル２の送風ダクト２ａ内に収まるように薄型に構成されている。
【００２９】
外気は送風機２９の運転により送風ダクト２ａを通して冷凍機２６を通流し、凝縮器２８との熱交換により圧縮機２７からのガス冷媒を凝縮させる一方、例えば４５℃程度に加温される。この暖気はダクト化された床パネル４に入り、送風ダクト４ａを通して図示しない排気口から外気に排出される。これにより、店舗建屋１は床暖房され、冬季における空調機６の暖房負荷が軽減される。同時に、ダンパ３０が開くことにより、暖気の一部はコールドアイル１９の溜り場付近に導かれる。
【図面の簡単な説明】
【００３０】
【図１】この発明の実施例１を示し、（Ａ）は冷房運転時における店舗建屋の要部縦断面図、（Ｂ）は（Ａ）の要部右正面図である。
【図２】図１の店舗建屋の暖房運転時における要部縦断面図である。
【図３】この発明の実施例２を示し、（Ａ）は冷房運転時における店舗建屋の要部縦断面図、（Ｂ）は（Ａ）の要部右正面図である。
【図４】図３（Ｂ）のIV−IVに沿う断面図である。
【図５】図３の店舗建屋の暖房運転時を示し、（Ａ）は店舗建屋の要部縦断面図、（Ｂ）は（Ａ）の要部右正面図である。
【図６】図５（Ｂ）のVI−VIに沿う断面図である。
【図７】この発明の実施例３を示し、（Ａ）は店舗建屋の要部縦断面図、（Ｂ）は（Ａ）の要部右正面図である。
【図８】従来例を示す店舗建屋の縦断面図である。
【符号の説明】
【００３１】
１    店舗建屋
２    壁パネル
３    天井パネル
４    床パネル
６    空調機
７    室内熱交換器
８    送風機
９    室内機
１０    圧縮機
１１    室外熱交換器
１２    送風機
１３    室外機
１４    空気吹出口
１５    空気吸込口
１７    冷蔵ショーケース
１９    冷気溜り
２６    冷凍機
【図１】
2005114215.tif 000003
【図２】
2005114215.tif 000004
【図３】
2005114215.tif 000005
【図４】
2005114215.tif 000006
【図５】
2005114215.tif 000007
【図６】
2005114215.tif 000008
【図７】
2005114215.tif 000009
【図８】
2005114215.tif 000010